(57)【要約】【課題】上水道のように水を常時流し続ける必要のある場合であっても断水する必要がなく、しかも強い水流に抗して、蓄積された異物を容易かつ効果的に取り除くことができるストレーナを提供する。【解決手段】管Ｐに装着可能になっているケース部材１と、このケース部材１内に配置されるストレーナ本体部Ｂとからなり、このストレーナ本体部Ｂが、管Ｐ内を流れる流体中の異物を補足可能な多数の細孔を有して、その軸心方向が管Ｐと略平行な略筒状をしたスクリーン３を有する。スクリーン３が外部から回転操作可能になっていると共に、このスクリーン３の外周面に摺接し、スクリーン３の回転によりスクリーン３に付着した異物を排出可能な逆洗部材６がストレーナ本体部Ｂに設けられている。【選択図】図１
2007083102.tif 000002
【特許請求の範囲】
【請求項１】
管に装着可能になっているケース部材と、このケース部材内に配置されるストレーナ本体部とからなり、このストレーナ本体部が、前記管内を流れる流体中の異物を補足可能な多数の細孔を有して、その軸心方向が前記管と略平行な略筒状をしたスクリーンを有するストレーナにおいて、
前記スクリーンが外部から回転操作可能になっていると共に、このスクリーンの外周面に摺接し、スクリーンの回転によりスクリーンに付着した異物を排出可能な逆洗部材が前記ストレーナ本体部に設けられていることを特徴とするストレーナ。
【請求項２】
前記逆洗部材は略Ｌ形をしていると共に、前記スクリーンの外周面に摺接する面に狭幅の流路が形成されていて、前記スクリーンの回転によりスクリーンに付着した異物を、前記狭幅の流路から排出可能にしている請求項１記載のストレーナ。
【請求項３】
前記ケース部材に覗き窓が設けられていて、前記スクリーンの外周面を外部より視認可能になっている請求項１又は２記載のストレーナ。
【請求項４】
前記ケース部材の底部に、前記スクリーンに付着した異物を排出可能な排出口が設けられている請求項１〜３のいずれか１項記載のストレーナ。
【請求項５】
前記スクリーンと逆洗部材が、前記ストレーナ本体部の蓋部材に支持されている請求項１〜４のいずれか１項記載のストレーナ。
【発明の詳細な説明】
【技術分野】
【０００１】
本発明はストレーナに関し、詳しくは、管に装着可能になっているケース部材と、このケース部材内に配置されるストレーナ本体部とからなり、このストレーナ本体部が、前記管内を流れる流体中の異物を補足可能な多数の細孔を有して、その軸心方向が前記管と略平行な略筒状をしたスクリーンを有するストレーナに関する。
【背景技術】
【０００２】
流体管路の途中に、流体中に存在する各種異物をろ過して取り除くために、ストレーナが設けられている。例えば、土中に埋設されている上水道用配管の途中では、適度な間隔でストレーナが取り付けられており、ストレーナの設けられている箇所には、マンホールなどが設けられていて、このマンホールを介して、ストレーナが補足した異物を定期的或いは不定期的に作業者が除去するようにしている。
【０００３】
このストレーナは、内部にろ過用の細孔が多数形成されたスクリーンを有していると共に、両端部に設けられているフランジが流体配管のフランジとボルト・ナット等の固着具を介して接続されていて、流体中の異物をスクリーンで補足し、ろ過する。異物がたまると、流体の流れが悪くなっていくので、蓄積された異物を取り除くべく、定期的あるいは不定期的に点検し、取り外して洗浄する（例えば、特許文献１）
【特許文献１】特開２００４−２７５９５８号公報
【発明の開示】
【発明が解決しようとする課題】
【０００４】
しかしながら、上記従来技術のストレーナは、使用経過に伴う蓄積した異物を取り除くのに、管内を流れる流体を予め止める必要があるという問題があり、特に上水道であれば供給している水道水を断水しなければならないという問題がある。
【０００５】
そこで、本発明の目的は、上水道のように水を常時流し続ける必要のある場合であっても断水する必要がなく、しかも強い水流に抗して、蓄積された異物を容易かつ効果的に取り除くことができるストレーナを提供することにある。
【課題を解決するための手段】
【０００６】
上記課題は、各請求項記載の発明により達成される。すなわち、本発明に係るストレーナの特徴構成は、管に装着可能になっているケース部材と、このケース部材内に配置されるストレーナ本体部とからなり、このストレーナ本体部が、前記管内を流れる流体中の異物を補足可能な多数の細孔を有して、その軸心方向が前記管と略平行な略筒状をしたスクリーンを有するストレーナにおいて、前記スクリーンが外部から回転操作可能になっていると共に、このスクリーンの外周面に摺接し、スクリーンの回転によりスクリーンに付着した異物を排出可能な逆洗部材が前記ストレーナ本体部に設けられていることにある。
【０００７】
この構成によれば、流体中の異物を補足する略筒状のスクリーンの軸心方向が、前記管と略平行になっているので、両体の流れに対して抵抗が小さくて済むため、不断水の状態での回転操作が楽になり、しかも、スクリーンを外部から回転操作した場合に、スクリーンの外周面に付着した異物が、スクリーンの外周面に摺接する逆洗部材により確実に取り除かれ排出されるので、スクリーンに蓄積された異物を容易かつ効果的に取り除くことができる。
【０００８】
その結果、上水道のように水を常時流し続ける必要のある場合であっても断水する必要がなく、しかも強い水流に抗して、蓄積された異物を容易かつ効果的に取り除くことができるストレーナを提供することができた。
【０００９】
前記逆洗部材は略Ｌ形をしていると共に、前記スクリーンの外周面に摺接する面に狭幅の流路が形成されていて、前記スクリーンの回転によりスクリーンに付着した異物を、前記狭幅の流路から排出可能にしていることが好ましい。
【００１０】
この構成によれば、回転するスクリーンと逆洗部材との接触により、はぎ取られた異物が管内を流れる強い水流によって勢いよく排出される。
【００１１】
前記ケース部材に覗き窓が設けられていて、前記スクリーンの外周面を外部より視認可能になっていることが好ましい。
【００１２】
この構成によれば、ストレーナを清浄化するタイミングを適正に判断でき、無駄な作業工数の削減が図れると共に、異物が付着している場合にはタイミングよく洗浄することができ、常時、水道管内を円滑に上水が流れるようにすることができる。
【００１３】
前記ケース部材の底部に、前記スクリーンに付着した異物を排出可能な排出口が設けられていることが好ましい。
【００１４】
この構成によれば、大きめの比較的重い異物は底部排出口近くに溜められ、異物の性状に応じて外部に排出されるため、異物の排出が無理なく確実に行うことができる。
【００１５】
前記スクリーンと逆洗部材が、前記ストレーナ本体部の蓋部材に支持されていることが好ましい。
【００１６】
この構成によれば、スクリーンをメンテナンスする場合などにおいて、これを撤去しようとする際、ストレーナ本体部の蓋部材を持ち上げるだけでケース部材から取り外すことができて楽であり、作業効率がよく、作業者が安心して取り外し作業ができる。
【発明を実施するための最良の形態】
【００１７】
本発明にかかるストレーナの実施の形態を、図面を参照して詳細に説明する。図1は本実施形態に係るストレーナの内部を示す正面断面構造（スクリーン３はその上半部を断面図で表してある）であり、図２は図４のストレーナのＡ−Ａ線断面構造を表し、図３は図１のストレーナの平面構造を表し、図４は図１のストレーナを既設管に装着した状態を示す正面構造を表す。以下、本実施形態のストレーナを、水道管の途中に設けた例を挙げて説明する。
【００１８】
このストレーナＳは、図４に示すように、両端に既設管Ｐと接続するためパッキン（図示略）を押す押輪２などを用いて既設管Ｐに接続されるケース部材１と、その内部にストレーナ本体部Ｂとを有して構成されている。もっとも、押輪２に替えて、ケース部材１の端部にフランジを設けて既設管Ｐに接続するようにしてもよい。ストレーナ本体部Ｂは、図１に示すように、多数の細孔が有するスクリーン３を有する。スクリーン３は、所定太さの線材を編み込み、後端側に開口部３ａを有する大径の略円筒状部分と下流側に向けてこれより小径の筒状部３ｄとを有しており、その軸心が管軸心Ｚと略平行になっている。スクリーン３は、円筒の上流側面３ｂ、胴部３ｃが共に、目開き１００〜１５０メッシュ程度の網状に構成されていて、管軸心Ｚ周りに回転可能になっている。小径の筒状部３ｄの長手方向前後の外周部には軸受け（煩雑化を避けるため図示略）が装着されている共に、小径の筒状部３ｄの外周面には、シール部材であるＯリング１１が複数個（図１では４個）、下流側のストレーナ本体部Ｂとの間に装着されている。更に、この下流側のストレーナ本体部Ｂの底部とケース部材１との間には、シール用パッキンリング１２が装着されている。矢印Ｆは水道水の流れ方向を示す。
【００１９】
スクリーン３は、下流側のストレーナ本体部Ｂの上面側に設けられているハンドル４を介して、外部より回転操作可能になっている。すなわち、ハンドル４を回転させることにより、スクリーンの小径筒状部３ｄの外表面に設けられているギヤ部３ｅ（図５）とハンドル軸とに巻回されているタイミングベルト５によって、スクリーン３は回転される。この場合、略筒状をしたスクリーン３の回転軸が、水の流れる方向Ｆに平行になっていることから、たとえ水流が強い場合でも、回転動作自体は水流に逆らうことがないので回転に伴う抵抗が少なく、ハンドル４による回転操作が容易であり円滑に行える。
【００２０】
更に、ストレーナ本体部Ｂの蓋部材２０の上部内周面側に、スクリーン３の外周面に摺接する逆洗部材６が固着されている。逆洗部材６は、その上面側に開閉バルブ７と接続するストレーナ本体部Ｂの上部排出口に挿入される位置に排出口６ａを有する略Ｌ形に形成されていると共に、逆洗部材６の内面側は、スクリーン３の外周面に摺接している。逆洗部材６は、スクリーン３の外周面に摺接している側の面に、狭幅のスリット状の流路６ｂ（図５，６）を有する。この流路６ｂが、比較的狭い幅で形成されているため、はぎ取られた異物が管Ｐ内を流れる強い水流によって勢いよく排出される。スクリーン３と逆洗部材６とは、ストレーナ本体部Ｂの蓋部材２０に支持されている。図６で、スクリーン３の外周面に摺接している側の逆洗部材６の面を、スクリーン３の外周面に面接触するように、曲面に形成されていてもよい。
【００２１】
そして、開閉バルブ７を開口し、ハンドル操作によってスクリーン３を回転すると、スクリーン３に付着した異物が、逆洗部材６の下端部と接触してはぎ取られ、はぎ取られた異物は流水の勢いにより、流路６ｂを経由して排出口６ａを通り、開閉バルブ７を通して外部に排出されると共に、大きめの比較的重い異物は底部排出口８近くに溜められ、底部開閉バルブ９の開口により、底部開閉バルブ９から排出されるようになっている。このように、ケース部材１の上部と底部の２箇所に設けられた排出口６ａ，８より、はぎ取られた異物の性状に応じて外部に排出されるため、異物の排出が無理なく確実に行うことができ、詰まり等のトラブルを生じることなく行える。
【００２２】
更に、ケース部材１には、その一側または両側に、図４に示すような透明ガラス製あるいは樹脂製のプレートが嵌め込まれた覗き窓１０が設けられていて、スクリーン３の外周面の異物の付着状況を外部より視認可能になっている。そのため、ストレーナＳを清浄化するタイミングを適正に判断でき、無駄な作業工数の削減が図れると共に、異物が付着している場合にはタイミングよく洗浄することができ、常時、水道管Ｐ内を円滑に上水が流れるようにすることができる。
【００２３】
次に、スクリーン３の汚れが酷くなった場合や破損したような場合などに行う、ストレーナＳを構成するストレーナ本体部Ｂのメンテナンス方法について、図７〜１０を参照して説明する。
【００２４】
図４の状態に対して、図７（以下、図８〜１０においてもフランジ部を省略。）に示すように、ストレーナ本体部Ｂの上部を囲むようにして作業用仕切弁装置１３を装着する。この装着は、例えば、図７の拡大部に示すように、先端が尖ったボルト１９などを用いて、ストレーナ本体部Ｂの蓋部の張出部の数箇所を押しつけるなどすることにより、固定して行うことができる。
【００２５】
次に、図８に示すように、作業用仕切弁装置１３の更に上部に、上下端部にフランジを有する圧力タンク部材１４を装着すると共に、ストレーナ本体部Ｂに昇降軸１５を接続し、この昇降軸１５を中心部に有する上蓋１６を、圧力タンク部材１４の上端部に接続・装着する。そして、ケース部材１とストレーナ本体部Ｂとの接続に使用している接続ボルト２１の固着を、作業用仕切弁装置１３の下端部と既設管Ｐの間の隙間から工具を挿入するなどすることによって解除する。もっとも、ケース部材１とストレーナ本体部Ｂとの接続を解除する手法としては、これに限定されるものではない。なお、昇降軸１５とストレーナ本体部Ｂとの接続は、例えば、昇降軸１５の下端部にネジ部を設けておき、このネジ部とストレーナ本体部Ｂの上部に設けられている雌ねじ部（図示略）とを螺合させて接続することができる。
【００２６】
更に、図９に示すように、回転治具（図示略）などを用いて昇降軸１５を引き上げ、ストレーナ本体部Ｂを引き上げて、ストレーナ本体部Ｂが作業用仕切弁１３の上部側に達すると、仕切弁開閉用ハンドル１７を回転させて仕切弁１８を送り込み、上下空間を遮断する。
【００２７】
仕切弁１８の送り込み操作が終了すると、図１０に示すように、上蓋１６・昇降軸１５と共にストレーナ本体部Ｂを取り出し、更に昇降軸１５からストレーナ本体部Ｂを外して、ストレーナ本体部Ｂをメンテナンスすることになる。この場合、スクリーン３と逆洗部材６とは蓋部材２０に支持されているので、取り外し作業が楽となる。
【００２８】
ストレーナ本体部Ｂのメンテナンスが終了すれば、上記した手順と逆の手順を経ることにより、ストレーナ本体部Ｂをケース部材１に収容し、接続することができる。この間、管Ｐ内を流れる水道水を遮断することがない。
【００２９】
〔別実施の形態〕
（１）上記実施形態では、上水道の管途中にストレーナを設けた例を挙げて説明したが、本発明のストレーナは、工業用水用配管などの他の流体配管途中においても使用できる。
（２）上記実施形態では、スクリーンとして、目開き１００〜１５０メッシュ程度の網状に構成した例を挙げて説明したが、流体の性状に応じて種々の目開きのものを選択でき、更に、その製法も線材を編んだものの他、板材に多数の細孔を形成したパンチングプレートのような多孔性材であってもよく、製造方法は特に限定されない。
（３）上記実施形態では、ケース部材１と略Ｌ形をした逆洗部材６とが別体になっている例を示したが、逆洗部材はケース部材と鋳造などの方法により一体に形成されていてもよい。
【図面の簡単な説明】
【００３０】
【図１】本発明の一実施形態に係るストレーナの内部を示す断面正面図
【図２】図４のストレーナのＡ−Ａ線断面図
【図３】図１のストレーナの平面図
【図４】図１のストレーナを既設管に装着した状態を示す正面図
【図５】図１のストレーナを構成するスクリーンと逆洗部材の接続を示す斜視図
【図６】図５のスクリーンと摺接する逆洗部材の部分斜視図
【図７】図１のストレーナ本体部のメンテナンス方法を説明する部分正面断面図
【図８】図１のストレーナ本体部のメンテナンス方法を説明する部分正面断面図
【図９】図１のストレーナ本体部のメンテナンス方法を説明する部分正面断面図
【図１０】図１のストレーナ本体部のメンテナンス方法を説明する部分正面断面図
【符号の説明】
【００３１】
１        ケース部材
３        スクリーン
６        逆洗部材
６ｂ      流路
８        排出口
１０      覗き窓
２０      蓋部材
Ｂ        ストレーナ本体部
Ｐ        管
【図１】
2007083102.tif 000003
【図２】
2007083102.tif 000004
【図３】
2007083102.tif 000005
【図４】
2007083102.tif 000006
【図５】
2007083102.tif 000007
【図６】
2007083102.tif 000008
【図７】
2007083102.tif 000009
【図８】
2007083102.tif 000010
【図９】
2007083102.tif 000011
【図１０】
2007083102.tif 000012